(57)【要約】【課題】  低電圧の維持放電を実現して消費電力を低減させ，ロングギャップを形成して発光効率を向上させるプラズマディスプレイパネルを提供する。【解決手段】  本発明は低電圧で維持放電を実現して消費電力を低減させ，ロングギャップを形成して発光効率を向上させるプラズマディスプレイパネルに関する。本発明によるプラズマディスプレイパネルは，互いに対向配置される第１基板及び第２基板と，前記第１基板と第２基板との間の空間に配置されて複数の放電セルを区画する隔壁と，前記各々の放電セル内に形成される蛍光体層と，前記第２基板に形成されるアドレス電極と，前記第１基板に備えられる表示電極とを含み，前記表示電極は，前記放電セル内に突き出されるその先端の対向方向が放電セル内でアドレス電極の長さ方向に対して交差する点火電極を含む。【選択図】図１
2005332826.tif 000002
【特許請求の範囲】
【請求項１】
互いに対向配置される第１基板及び第２基板と；
前記第１基板と第２基板との間の空間に配置されて複数の放電セルを区画する隔壁と；
前記各々の放電セル内に形成される蛍光体層と；
前記第２基板に形成されるアドレス電極と；
前記第１基板に備えられる表示電極と；
を含み，
前記表示電極は，
前記放電セル内に突き出されるその先端が，前記放電セル内で前記アドレス電極と交差する方向に対向して形成される点火電極を含むことを特徴とする，プラズマディスプレイパネル。
【請求項２】
前記表示電極は，
前記第１基板にアドレス電極と交差する方向に沿って伸びながら，各放電セルに一対が対応して形成されるバス電極と；
前記バス電極から各放電セル内部に各々突出形成される突出電極と；
前記バス電極から各放電セル内部の突出電極間に突出形成される点火電極と；
を含むことを特徴とする，請求項１に記載のプラズマディスプレイパネル。
【請求項３】
前記表示電極は前記第１基板にアドレス電極長さ方向と交差する方向に沿って伸びながら，各放電セルに一対が対応して形成されるＸ電極とＹ電極を含み，
前記Ｘ電極及びＹ電極各々は，
前記第１基板にアドレス電極と交差する方向に沿って伸びながら，各放電セルに一対が対応して形成されるバス電極と；
前記バス電極から各放電セル内部に各々突出形成される突出電極と；
前記バス電極から各放電セル内部の突出電極間に突出形成される点火電極と；
を含むことを特徴とする，請求項１に記載のプラズマディスプレイパネル。
【請求項４】
前記点火電極は，
前記アドレス電極と平行な隔壁に沿って延長形成される延長部と；
前記延長部から放電セルの内部を向かって各々突出形成される突出部と；
前記突出部の先端に対向構造に形成される対向部と；
を含むことを特徴とする，請求項３に記載のプラズマディスプレイパネル。
【請求項５】
前記対向部は，相互間隔を維持しながら，前記突出部からアドレス電極長さ方向に沿った幅が突出部の幅より広く形成されることを特徴とする，請求項４に記載のプラズマディスプレイパネル。
【請求項６】
前記対向部は，アドレス電極長さ方向の両側辺が同一長さに形成されることを特徴とする，請求項４に記載のプラズマディスプレイパネル。
【請求項７】
前記対向部は，アドレス電極長さ方向の一側辺は長く，他側辺が短く形成されることを特徴とする，請求項４に記載のプラズマディスプレイパネル。
【請求項８】
前記対向部は，一対でその先端の対向方向がアドレス電極長さ方向に対して直角に交差して形成されることを特徴とする，請求項４に記載のプラズマディスプレイパネル。
【請求項９】
前記対向部は，一対でその先端の対向方向がアドレス電極長さ方向に対して傾斜交差して形成されることを特徴とする，請求項４に記載のプラズマディスプレイパネル。
【請求項１０】
前記点火電極は，Ｘ電極側とＹ電極側がバス電極の長さ方向に隣接する各隔壁で放電セルを中心に対応して形成されることを特徴とする，請求項３に記載のプラズマディスプレイパネル。
【請求項１１】
前記点火電極は，Ｘ電極側とＹ電極側が各放電セルの中心を重点とする相互点対称構造を形成することを特徴とする，請求項３に記載のプラズマディスプレイパネル。
【請求項１２】
前記点火電極は，透明電極で形成されることを特徴とする，請求項３に記載のプラズマディスプレイパネル。
【請求項１３】
前記突出部及び前記対向部は，透明電極で形成されることを特徴とする，請求項３に記載のプラズマディスプレイパネル。
【発明の詳細な説明】
【技術分野】
【０００１】
本発明は画像を表示するプラズマディスプレイパネル（以下，ＰＤＰと言う）に関する。
【背景技術】
【０００２】
一般にＰＤＰは気体放電によって得られたプラズマから放射される真空紫外線が蛍光体を励起させることによって発生する赤（Ｒ），緑（Ｇ），青（Ｂ）の可視光を利用して映像を実現するディスプレイ素子である。このようなＰＤＰは６０インチ以上の超大型画面を僅か１０ｃｍ以内の厚さで実現することができ，ＣＲＴのような自発光ディスプレイ素子であるので色再現力及び視野角による歪曲現象がない特性を有する。また，ＬＣＤなどに比べて製造工法が単純であるために生産性及び原価側面でも長所を有し，テレビ及び産業用平板ディスプレイとして脚光を浴びている。
【０００３】
一般的なＡＣ型ＰＤＰにおいて，背面基板上に一方向に沿ってアドレス電極が形成され，このアドレス電極を覆いながら背面基板の前面に誘電層が形成される。この誘電層上に各アドレス電極の間に配置されるように帯状の隔壁が形成され，各々の隔壁の間には赤（Ｒ），緑（Ｇ），青（Ｂ）色の蛍光体層が形成される。
【０００４】
そして，背面基板に対向する前面基板の一面にはアドレス電極と交差する方向に沿って一対の透明電極とバス電極で構成される表示電極が形成され，この表示電極を覆いながら前面基板全体に誘電層とＭｇＯ保護膜が順次に形成される。
【０００５】
前記背面基板上のアドレス電極と前面基板上の一対の表示電極との交差地点が放電セルを構成する部分となる。
【０００６】
このように構成されるＰＤＰの内部には数百万個以上の単位放電セルがマトリクス形態で配列されている。マトリクス形態で配列されたＡＣ型ＰＤＰの放電セルを同時駆動するためには記憶特性を利用した駆動を行う。
【０００７】
より詳細に説明すれば，一対の表示電極を構成するＸ電極とＹ電極との間に放電を起こすためには特定電圧以上の電位差が必要であり，この境界になる電圧を放電開始電圧（Ｖｆ）と言う。この時，アドレス電圧をＹ電極とアドレス電極との間に印加すれば，放電が開始されて放電セル内にプラズマが形成され，このプラズマ内の電子とイオンは反対極性を有する電極側に移動して電流が流れる。
【０００８】
一方，ＡＣ型ＰＤＰの各電極には誘電層が塗布されていて，移動した空間電荷のほとんどは反対極性を有する誘電層上に積まれて時間と共に増加し，結局Ｙ電極とアドレス電極との間の実効空間電位差は実際に印加されたアドレス電圧Ｖａより小さくなって放電が時間と共に弱くなり，アドレス放電は消滅する。この時，Ｘ電極には相対的に少量の電子が積まれ，Ｙ電極には相対的に多量の正イオンが積まれるが，これらＸ電極及びＹ電極を覆っている誘電層上に積まれた電荷を壁電荷（Ｑｗ）と言い，これら壁電荷によってＸ−Ｙ電極間に形成される空間電圧を壁電圧（Ｖｗ）と言う。
【０００９】
引続き，Ｘ電極とＹ電極との間に一定の電圧Ｖｓ（放電維持電圧）を印加する場合，前記放電維持電圧Ｖｓと壁電圧Ｖｗの大きさを合わせた値Ｖｓ＋Ｖｗが放電開始電圧Ｖｆより高ければ放電セル内で放電が起こり，この時に発生する真空紫外線が当該蛍光体を励起させ透明な前面基板を通り抜けて可視光を放出する。
【００１０】
しかし，Ｙ電極とアドレス電極の間のアドレス放電がない場合，つまり，アドレス電圧Ｖａが印加されなかった場合にはＸ−Ｙ電極間に積まれる壁電荷はなく，結果的にＸ−Ｙ電極間の壁電圧も存在しなくなる。この時にはＸ−Ｙ電極の間に加えた放電維持電圧Ｖｓのみが放電セル内に形成され，これは放電開始電圧Ｖｆより低いためにＸ−Ｙ電極間の気体空間は放電しない。
【００１１】
このように駆動されるＰＤＰは入力電力から最終可視光を得るまで多様な段階を経る。前記Ｘ，Ｙ電極は維持放電の開始のために多少近接して配置されたり，高い維持放電電圧が印加されなければならず，また，放電セルに形成された蛍光体の全領域を励起させて発光効率を高めるために維持放電が起こる範囲内でロングギャップを維持しなければならない相反した条件の充足が要求される。
【発明の開示】
【発明が解決しようとする課題】
【００１２】
そこで，本発明の目的は低電圧で維持放電を実現して消費電力を低減させ，ロングギャップを形成して発光効率を向上させるプラズマディスプレイパネルを提供することにある。
【課題を解決するための手段】
【００１３】
本発明によるプラズマディスプレイパネルは，互いに対向配置される第１基板及び第２基板と，前記第１基板と第２基板との間の空間に配置されて複数の放電セルを区画する隔壁と，前記各々の放電セル内に形成される蛍光体層と，前記第２基板に第１方向に沿って長く伸びて形成されるアドレス電極と，前記第１基板に備えられる表示電極とを含む。この時前記表示電極は，前記放電セル内に突き出されるその先端が前記放電セル内で前記アドレス電極と交差する方向に対向して形成される点火電極を含むことを特徴とする。
【００１４】
前記表示電極は，前記第１基板に前記アドレス電極と交差する第２方向に沿って伸びながら，各放電セルに一対が対応して形成されるバス電極と，前記バス電極から各放電セル内部に各々突出形成される突出電極と，前記バス電極から各放電セル内部の突出電極との間に突出形成される点火電極とを含むことも可能である。
【００１５】
前記表示電極は，前記第１基板にアドレス電極と交差する第２方向に沿って伸びながら各放電セルに一対が対応して形成されるＸ電極とＹ電極を含み，前記Ｘ電極及びＹ電極の各々は，前記第２方向と交差する方向に沿って伸びながら，各放電セルに一対ずつ対応して第１基板に形成されるバス電極と，前記バス電極から各放電セル内部に各々突出形成される突出電極と，前記バス電極から各放電セル内部の突出電極の間に突出形成される点火電極とを含むことも可能である。
【００１６】
前記点火電極は，前記アドレス電極と平行な隔壁に沿って延長形成される延長部と，前記延長部で放電セルの内部に向かって各々突出形成される突出部と，前記突出部の先端に対向構造で形成される対向部とを含むことも可能である。
【００１７】
前記対向部は相互間隔を維持しながら突出電極が相互ロングギャップを形成するように前記第１方向に沿った幅が前記突出部の幅より広く形成されるようにしてもよい。
【００１８】
前記対向部は第１方向による両側辺が同一長さで形成されたり，一側辺が長くて他側辺は短く形成されたりするようにしてもよい。
【００１９】
前記対向部は一対でその先端の対向方向が前記第１方向に対して直角に交差して形成されるようにしてもよい。
【００２０】
前記対向部は一対でその先端の対向方向が前記第１方向に対して傾斜交差して形成されるようにしてもよい。
【００２１】
前記点火電極はＸ電極側とＹ電極側が前記第２方向に隣接する各隔壁上を通るように各々形成されるようにしてもよい。
【００２２】
前記点火電極はＸ電極側とＹ電極側が各放電セルの中心を基準に相互点対称構造を形成することも可能である。
【００２３】
前記点火電極及びその突出部及び対向部は透明電極で形成されるのが好ましい。
【発明の効果】
【００２４】
本発明によるプラズマディスプレイパネルによれば，表示電極の突出電極間にロングギャップを形成し，これら突出電極の間に点火電極を備えて，この点火電極間に適切な間隔を維持しながら点火電極と突出電極間にショートギャップを形成することによって低電圧で維持放電を実現してＰＤＰの消費電力を低減させ，ロングギャップによる発光効率を向上させる効果がある。
【発明を実施するための最良の形態】
【００２５】
以下に添付図面を参照しながら，本発明の好適な実施形態について詳細に説明する。なお，本明細書および図面において，実質的に同一の機能構成を有する構成要素については，同一の符号を付することにより重複説明を省略する。
【００２６】
図１は本発明の一実施形態によるプラズマディスプレイパネルを概略的に示した部分断面分解斜視図である。
【００２７】
図１を参照してＰＤＰを説明すれば，本実施形態によるＰＤＰは第１基板１と第２基板３の面対向縫着構造で形成される。この第１，第２基板１，３間の空間には複数の隔壁５が配置されてプラズマ放電を起こせるように複数の放電セル７Ｒ，７Ｇ，７Ｂを区画して形成する。この放電セル７Ｒ，７Ｇ，７Ｂには赤Ｒ，緑Ｇ，青Ｂ色の蛍光体が印刷されて蛍光層９Ｒ，９Ｇ，９Ｂを形成する。
【００２８】
前記第２基板３上には図面のｙ軸方向に沿って複数のアドレス電極１１が延長形成され，前記第１基板１上にはこのアドレス電極１１と交差する方向，つまり，図面のｘ軸方向に沿って複数の表示電極１３，１５が延長形成される。
【００２９】
この第１基板１と第２基板３との間の空間に備えられる前記隔壁５は互いに隣接する他の隔壁５と平行に配置され，この隔壁５と相互交差しながら，これら相互間に平行に配置される他の隔壁５ａによってプラズマ放電に必要な放電セル７Ｒ，７Ｇ，７Ｂを区画形成する。
【００３０】
本実施形態は図面のｙ軸とｘ軸方向に相互交差する隔壁５，５ａによって放電セル７Ｒ，７Ｇ，７Ｂを形成する閉鎖型隔壁構造を例示しているが，前記隔壁のうちの一方向に形成される隔壁５で構成される帯状隔壁構造にも本発明を適用することができる。
【００３１】
図２は図１のＡ−Ａ線による部分断面図であり，図３は図１のＢ−Ｂ線による部分断面図である。
【００３２】
一方，アドレス電極１１は放電セル７Ｒ，７Ｇ，７Ｂで壁電荷を形成してアドレス放電を起こすように第１誘電層１７で覆われている。この第１誘電層１７は可視光の反射率を確保できるように白色誘電体で形成されることが好ましい。
【００３３】
前記表示電極１３，１５はこのアドレス電極１１とアドレス放電を起こした後，放電セル７Ｒ，７Ｇ，７Ｂで維持放電を起こすように放電セル７Ｒ，７Ｇ，７Ｂの中心に向かって相互対向状態に配置されるＸ電極１３及びＹ電極１５で構成される。
【００３４】
このＸ電極１３及びＹ電極１５は，放電セル７Ｒ，７Ｇ，７Ｂの中心に向かって突き出される突出電極１３ａ，１５ａと，この突出電極１３ａ，１５ａに電流を供給するバス電極１３ｂ，１５ｂ及び，このバス電極１３ｂ，１５ｂから放電セル７Ｒ，７Ｇ，７Ｂ内部に突き出されて前記突出電極１３ａ，１５ａの間に備えられる点火電極１３ｃ，１５ｃで構成される。
【００３５】
ここで，突出電極１３ａ，１５ａは放電セル７Ｒ，７Ｇ，７Ｂ内部でプラズマ放電を起こす役割を果たすもので，輝度確保のために透明なＩＴＯ（インジウムスズ酸化物）を用いた透明電極とするのが好ましい。
【００３６】
前記バス電極１３ｂ，１５ｂは，このような突出電極１３ａ，１５ａの高い電気抵抗を補償して通電性を確保するためのもので，アルミニウムのような金属で作るのが好ましい。
【００３７】
また，点火電極１３ｃ，１５ｃは，前述のように突出電極１３ａ，１５ａ間に配置され，その先端が放電セル７Ｒ，７Ｇ，７Ｂの中心に向かって突き出されて相互に対向し，その対向方向ａが放電セル７Ｒ，７Ｇ，７Ｂ内でアドレス電極１１の長さ方向（図面のｙ軸方向）に対して交差して形成される。
【００３８】
図４は図１の部分平面図である。
【００３９】
図４を参照して点火電極１３ｃ，１５ｃを説明すれば，この点火電極１３ｃ，１５ｃは，Ｘ，Ｙ電極１３，１５からなる表示電極１３，１５において，突出電極１３ａ，１５ａ間にロングギャップｂを形成しながら，この突出電極１３ａ，１５ａが本格的な維持放電を起こす前に低電圧による初期維持放電を円滑に起こすためのもので，相互間に初期維持放電を起こすのに適切なショートギャップａを維持している。
【００４０】
ところで，突出電極１３ａ，１５ａのロングギャップｂは放電面積が広いために発光効率を向上させるが，このようなロングギャップｂによる維持放電を可能にするため，点火電極１３ｃ，１５ｃ間のショートギャップａを使用し，初期維持放電を低電圧で開始してＰＤＰの駆動電力を低減させる。この点火電極１３ｃ，１５ｃは，従来，高電圧を要求されてきた維持放電の初期に，先ずショートギャップａにおける維持放電開始を可能にし，次いでロングギャップｂを形成する突出電極１３ａ，１５ａが本格的な維持放電を円滑に実現させるような機能を持つ。つまり，初期維持放電を起こした点火電極１３ｃ，１５ｃの各々は突出電極１５ａ，１３ａとの各最近接間隔ｃにより，初期維持放電に続いて，点火電極１３ｃ，１５ｃの各々と突出電極１５ａ，１３ａとの面放電を起こし，最終的には突出電極１３ａ，１５ａ相互間のロングギャップｂで維持放電を実現する。
【００４１】
このような点火電極１３ｃ，１５ｃは，前記アドレス電極１１の長さ方向（ｙ軸方向）と平行に形成される隔壁５に沿って延長形成される延長部１３１ｃ，１５１ｃと，この延長部１３１ｃ，１５１ｃから放電セル７Ｒ，７Ｇ，７Ｂの内部を向かって各々突出形成される突出部１３２ｃ，１５２ｃ，及びこの突出部１３２ｃ，１５２ｃの先端に相互対向構造で形成される対向部１３３ｃ，１５３ｃで構成される。
【００４２】
前記延長部１３１ｃ，１５１ｃは隔壁５に沿って形成されるので，直線に形成されるのが好ましい。突出部１３２ｃ，１５２ｃは対向部１３３ｃ，１５３ｃを放電セル７Ｒ，７Ｇ，７Ｂの内部に位置させるもので，延長部１３１ｃ，１５１ｃから放電セル７Ｒ，７Ｇ，７Ｂに向かって突出形成されるものとして，本実施形態のように直線に形成されたり他の形状に形成されたりしても良い。また，対向部１３３ｃ，１５３ｃは低電圧による初期維持放電を起こせるように放電セル７Ｒ，７Ｇ，７Ｂ内で点火装置の役割を果たすが，これに相応する間隔を相互維持しながら突出部１３２ｃ，１５２ｃの先端に備えられて前記突出電極１３ａ，１５ａの間に位置する。
【００４３】
前記対向部１３３ｃ，１５３ｃはアドレス電極１１の長さ方向（図面のｙ軸方向）幅ｗ１が突出部１３２ｃ，１５２ｃの幅ｗ２より広く形成される。このような幅ｗ１，ｗ２の関係は，対向部１３３ｃ，１５３ｃ相互間のショートギャップａを維持しながら，対向部１３３ｃ，１５３ｃの各々とこれに対向する突出電極１５ａ，１３ａとの間隔ｃを狭く形成して，対向部１３３ｃ，１５３ｃ間の初期維持放電開始を容易にすると共に，対向部１３３ｃ，１５３ｃの各々と突出電極１５ａ，１３ａとの間の面放電を容易に誘導できるように連結する。
【００４４】
このような対向部１３３ｃ，１５３ｃはアドレス電極１１の長さ方向ｂ（図面のｙ軸方向）に対して直角を成しながらその両側辺が同一長さに形成されるのが好ましい（図４参照）。この場合，一対の対向部１３３ｃ，１５３ｃはその先端の対向方向（図面のｘ軸方向）がアドレス電極１１の長さ方向（図面のｙ軸方向）に対して直角に交差して形成される。
【００４５】
図５は本発明によるプラズマディスプレイパネルの他の実施形態の部分平面図である。
【００４６】
この図面を参照して，前記対向部１３３ｃ，１５３ｃを説明すれば，この対向部１３３ｃ，１５３ｃはアドレス電極１１長さ方向（ｙ軸方向）に対して直角を成しながらその一側辺が長くて他側辺が短く形成できる（図５参照）。この場合，一対の対向部１３３ｃ，１５３ｃはその先端の対向方向ｄがアドレス電極１１長さ方向（図面のｙ軸方向）に対して傾いた状態で交差して形成される。
【００４７】
前記のように延長部１３１ｃ，１５１ｃ，突出部１３２ｃ，１５２ｃ，及び対向部１３３ｃ，１５３ｃで形成される点火電極１３ｃ，１５ｃは，バス電極１３ｂ，１５ｂの長さ方向（図面のｘ軸方向）に隣接する各隔壁５で放電セル７Ｒ，７Ｇ，７Ｂを中心にして対応形成され，放電セル７Ｒ，７Ｇ，７Ｂの中心を重点として相互点対称構造を形成する。
【００４８】
また，前記点火電極１３ｃ，１５ｃは放電セル７Ｒ，７Ｇ，７Ｂの発光領域に位置するので放電セル７Ｒ，７Ｇ，７Ｂの輝度を低下させずに透明電極で形成されるのが好ましく，突出部１３２ｃ，１５２ｃと対向部１３３ｃ，１５３ｃはさらに透明電極で形成されるのが良い。延長部１３１ｃ，１５１ｃは非発光領域である隔壁５上に配置されるので不透明電極で形成されても良い。
【００４９】
前記のようにＸ，Ｙ電極１３，１５に点火電極１３ｃ，１５ｃをさらに備える表示電極１３，１５は第２誘電層１９とＭｇＯ保護膜２１で覆われている。前記第２誘電層１９は可視光の透過率を向上させるために透明誘電体で形成されるのが好ましい。
【００５０】
前記のように構成されるＰＤＰにおいて，Ｙ電極１５にスキャン電圧（Ｙ電極選択信号：ＮＴＳＣ画像ならば，水平走査線を指定するタイミング信号）を印加してアドレス電極１１にアドレス電圧を印加すれば，アドレス放電が開始されて選択されたＹ電極１５とアドレス電極１１が交差する放電セル７Ｒ，７Ｇ，７Ｂ内にプラズマが形成され，このプラズマ内の電子とイオンは反対極性を有する電極側に移動して電流が流れる。
【００５１】
次に，Ｙ電極１５とアドレス電極１１との間の純空間電位は実際に印加されたアドレス電圧Ｖａより小さくなってアドレス放電は徐々に弱くなり，アドレス放電は終に消滅する。この時，Ｘ電極１３には相対的に少量の電子が積まれ，Ｙ電極１５には相対的に多量のイオンが積まれるが，これらＸ電極１３及びＹ電極１５を覆っている誘電層１９上に積まれた壁電荷はＸ−Ｙ電極１３，１５の間の空間電圧である壁電圧を形成する。
【００５２】
このＸ電極１３とＹ電極１５との間に放電維持電圧を印加すれば，点火電極１３ｃ，１５ｃ間に初期維持放電が起こり，この初期放電を点火源として，この点火電極１３ｃと突出電極１５ａとの間，及び他の点火電極１５ｃと他の突出電極１３ａの間，つまり，一つの放電セル７Ｒ，７Ｇ，７Ｂ内の２ケ所で面放電が起こり，この２ケ所の面放電に続いて前記突出電極１３ａ，１５ａの間に本格的な維持放電が起こる。この本格的な維持放電の時に発生する真空紫外線が当該放電セル７Ｒ，７Ｇ，７Ｂ内の蛍光体を励起させて透明な前面基板を通って可視光を放出する。
【００５３】
前記のように初期維持放電が対電極相互間のショートギャップを形成する点火電極１３ｃ，１５ｃの間で起こって，この点火電極１３ｃ，１５ｃとショートギャップを形成する隣接した突出電極１３ａ，１５ａに連結されてロングギャップを形成する突出電極１３ａ，１５ａ間に本格的な維持放電を起こすことによって，低電圧で維持放電が可能になる。
【００５４】
以上，本発明の好ましい実施形態について説明したが，本発明はこれに限定されず，特許請求の範囲と発明の詳細な説明及び添付した図面の範囲内で多様に変形して実施することができ，これも本発明の範囲に属する。すなわち，当業者であれば，特許請求の範囲に記載された技術的思想の範疇内において各種の変更例または修正例に想到し得ることは明らかであり，それらについても当然に本発明の技術的範囲に属するものと了解される。
【図面の簡単な説明】
【００５５】
【図１】本発明の一実施形態によるプラズマディスプレイパネルの部分断面を概略的に示した斜視図である。
【図２】図１のＡ−Ａ線に沿って切断した部分断面を示す説明図である。
【図３】図１のＢ−Ｂ線に沿って切断した断面を示す説明図である。
【図４】図１の平面図である。
【図５】本発明の他の実施形態によるプラズマディスプレイパネルの平面図である。
【符号の説明】
【００５６】
１  第１基板
３  第２基板
５，５ａ  隔壁
７Ｒ，７Ｇ，ＲＢ  放電セル
９Ｒ，９Ｇ，９Ｂ  蛍光層
１１  アドレス電極
１３，１５  表示電極
１３ａ，１５ａ  突出電極
１３ｂ，１５ｂ  バス電極
１３ｃ，１５ｃ  点火電極
１７  第１誘電層
１９  第２誘電層
１３１ｃ，１５１ｃ  延長部
１３２ｃ，１５２ｃ  突出部
１３３ｃ，１５３ｃ  対向部
ａ  ショートギャップ
ｂ  ロングギャップ
【図１】
2005332826.tif 000003
【図２】
2005332826.tif 000004
【図３】
2005332826.tif 000005
【図４】
2005332826.tif 000006
【図５】
2005332826.tif 000007